(57)【特許請求の範囲】
【請求項１】
主走査及び副走査を行って原稿の画像を読み取る読取手段、
該読取手段の読取で得られる１頁分の画像データを記憶する分割用頁メモリ、
該分割用頁メモリから分割して画像データを読み出す分割手段、
前記分割用頁メモリから読み出された画像データに対して変倍処理を行う変倍手段、
該変倍手段から出力される１頁分の画像データを記憶する回転用頁メモリ、
該回転用頁メモリに画像データを書き込み、前記頁メモリから画像データを読み出す際に、画像を９０度回転させる画像回転処理を行う画像回転手段及び
前記変倍手段による変倍後の画像データが前記変倍手段が扱える大きさを超えているか否かを判断し、超えている場合には前記読取手段の読取で得られた画像データを前記分割用頁メモリに記憶させ、前記分割手段により画像データを主走査方向に分割して前記変倍手段に入力して、分割された画像データ毎に変倍処理を行わせ、前記変倍手段による変倍処理後の分割された画像データを前記回転用頁メモリに合成して記憶させ、超えていない場合には、前記読取手段の読取で得られた画像データを分割しないで前記変倍手段に入力し、変倍後の画像データを前記回転用頁メモリに記憶させる制御手段、
を有することを特徴とする原稿読取装置。
【請求項２】
主走査及び副走査を行って原稿の画像を読み取る読取手段、
該読取手段の読取で得られた画像データに対して変倍処理を行う変倍手段、
該変倍手段から出力される１頁分の画像データを記憶する回転用頁メモリ、
該回転用頁メモリに画像データを書き込み、前記回転用頁メモリから画像データを読み出す際に、画像を９０度回転させる画像回転処理を行う画像回転手段及び
前記変倍手段による変倍後の画像データが前記変倍手段が扱える大きさを超えているか否かを判断し、超えている場合には前記読取手段による読取を主走査方向に分割して複数回行って、分割された画像データを取得し、分割された画像データを前記変倍手段により変倍処理して、前記頁メモリに記憶させることにより、前記複数回の読取により得られた画像データを前記頁メモリ上で合成し、超えていない場合には前記読取手段による１回の読取で原稿の画像の読取を行い、該１回の読取で得られた画像データを前記変倍手段による変倍処理後に前記頁メモリに記憶させる制御手段、
を有することを特徴とする原稿読取装置。
【請求項３】
前記読取手段が副走査方向に変倍された画像データを出力することを特徴とする請求項１又は請求項２に記載の原稿読取装置。
【請求項４】
主走査及び副走査を行って原稿の画像を読み取る読取手段、
該読取手段の読取で得られる１頁分画像データを記憶する分割用頁メモリ、
該分割用頁メモリから分割して画像データを読み出す分割手段、
前記分割用頁メモリから読み出された画像データに対して変倍処理を行う変倍手段、
該変倍手段から出力される１頁分の画像データを記憶する回転用頁メモリ、
該回転用頁メモリに画像データを書き込み、前記頁メモリから画像データを読み出す際に、画像を９０度回転させる画像回転処理を行う画像回転手段及び
前記変倍手段による変倍後の画像データが前記変倍手段が扱える大きさを超えているか否かを判断し、超えている場合には前記読取手段の読取で得られた画像データを前記分割用頁メモリに記憶させ、前記分割手段により画像データを主走査方向に分割して前記変倍手段に入力して、分割された画像データ毎に変倍処理を行わせ、前記変倍手段による変倍処理後の分割された画像データを前記回転用頁メモリに合成して記憶させ、超えていない場合には、前記読取手段の読取で得られた画像データを分割しないで前記変倍手段に入力し、変倍後の画像データを前記回転用頁メモリに記憶させる制御手段及び
前記回転用頁メモリに記憶された画像データに基づいて画像を形成する画像形成手段を、
有することを特徴とする画像形成装置。
【請求項５】
主走査及び副走査を行って原稿の画像を読み取る読取手段、
該読取手段の読取で得られた画像データに対して変倍処理を行う変倍手段、
該変倍手段から出力される１頁分の画像データを記憶する回転用頁メモリ、
該回転用頁メモリに画像データを書き込み、前記回転用頁メモリから画像データを読み出す際に、画像を９０度回転させる画像回転処理を行う画像回転手段及び
前記変倍手段による変倍後の画像データが前記変倍手段が扱える大きさを超えているか否かを判断し、超えている場合には前記読取手段による読取を主走査方向に分割して複数回行って、分割された画像データを取得し、分割された画像データを前記変倍手段により変倍処理して、前記頁メモリに記憶させることにより、前記複数回の読取により得られた画像データを前記頁メモリ上で合成し、超えていない場合には前記読取手段による１回の読取で原稿の画像の読取を行い、該１回の読取で得られた画像データを前記変倍手段による変倍処理後に前記頁メモリに記憶させる制御手段及び
前記回転用頁メモリに記憶された画像データに基づいて画像を形成する画像形成手段、
を有することを特徴とする画像形成装置。
【請求項６】
前記読取手段が副走査方向に変倍された画像データを出力することを特徴とする請求項４又は請求項５に記載の原稿読取装置。
【請求項７】
原稿の１頁の画像を主走査方向と副走査方向に走査して、主走査方向に分割され、副走査方向に拡大された画像データを取得する読取段階、
該読取段階で取得された分割された画像データをそれぞれ主走査方向に拡大する変倍段階、
該記変倍段階により変倍された画像データを回転用頁メモリに合成して記憶させる合成段階及び
合成された画像データに対して、画像を９０度回転させる画像回転処理を行う画像回転段階、
を有することを特徴とする原稿読取方法。
【請求項８】
前記読取段階において、原稿の１頁を１回の走査で読み取ることにより画像データを取得し、取得された画像データを主走査方向に分割することが行われることを特徴とする請求項７に記載の原稿読取方法。
【請求項９】
前記読取段階において、原稿の１頁を主走査方向に複数回に分けて行う走査により複数に分割された画像データを取得することを特徴とする請求項７に記載の原稿読取方法。
【請求項１０】
原稿の１頁の画像を主走査方向と副走査方向に走査して、主走査方向に分割され、副走査方向に拡大された画像データを取得する読取段階、
該読取段階で取得された分割された画像データをそれぞれ主走査方向に拡大する変倍段階、
該記変倍段階により変倍された画像データを頁メモリに合成して記憶させる合成段階、
合成された画像データに対して、画像を９０度回転させる画像回転処理を行う画像回転段階及び
画像回転処理された画像データに基づいて画像を形成する画像形成段階、
を有することを特徴とする画像形成方法。
【請求項１１】
前記読取段階において、原稿の１頁を１回の走査で読み取ることにより画像データを取得し、取得された画像データを主走査方向に分割することが行われることを特徴とする請求項１０に記載の画像形成方法。
【請求項１２】
前記読取段階において、原稿の１頁を主走査方向に複数回に分けて行う走査により複数に分割された画像データを取得することを特徴とする請求項１０に記載の画像形成方法。
【発明の詳細な説明】
【０００１】
【発明の属する技術分野】
本発明は原稿を読み取って画像データを取得し、取得された画像データに対して変倍処理及び画像回転を行う原稿読取装置、該原稿読取装置に用いられる原稿読取方法、前記変倍処理を受けた画像データに基づいて画像回転された画像を形成する画像形成装置及び該画像形成装置に使用される画像形成方法に関する。
【０００２】
【従来の技術】
デジタル複写装置等の画像形成装置では、原稿を読み取って画像情報を電気信号に変換し、該電気信号を処理して取得された画像データに対して、変倍、画像回転等の様々な画像処理を施して画像形成を行うことができる。
【０００３】
画像回転処理は、主として原稿と記録紙の縦横の関係を調整するために用いられる機能であり、縦長の状態で読み取られた原稿に対して、記録紙を横長の状態で搬送して画像形成を行う場合に、画像データを横長の記録紙に合うように９０度回転させる。
【０００４】
また、画像回転機能は変倍機能と組み合わさって使用される場合が多い。即ち例えば、Ｂ５サイズで縦長に載置された原稿からＡ４サイズで横長の記録紙に画像形成を行う場合に、多くの画像形成装置では、拡大処理とともに、縦長の画像を横長の画像に９０度回転する画像回転処理を施して画像形成が行われる。このように、画像回転機能と変倍機能を組み合わせ、設定された原稿のサイズ及び向きと記録紙のサイズ及び向きに従って、装置が自動的に変倍及び画像回転を行う機能を以下において、ＡＭＳ（自動変倍）機能と称する。
【０００５】
【発明が解決しようとする課題】
ＡＭＳを用いた画像形成では、Ｂ５サイズからＢ４サイズに或いはＡ４サイズからＡ３サイズにのように拡大画像形成が行われる場合が少なくない。原稿の読取から画像の形成までの画像データの処理の手順は、画像処理が変倍処理及び画像回転処理を伴っている場合には、読取手段からの電気信号からデジタルデータである画像データが作成され、作成された画像データに対して変倍処理を行った後に、１頁分の画像データを記憶する頁メモリに記憶させ、頁メモリに書込む際又は頁メモリから読み出す際に、画像回転が行われる。
【０００６】
従来の通常の画像形成装置は、Ａ３サイズの原稿の幅、即ち２９７ｍｍが主走査方向の最大長となるように構成されているものが多い。従って、変倍処理においては、変倍後の画像データの主走査方向の長さは２９７ｍｍに限定され、この長さを超えた画像データを切り捨てられていた。従って、前記のＡＭＳを用いて、Ａ４縦、Ｂ５縦のような小サイズの原稿を読み取って、変倍及び画像回転を行って、２９７ｍｍよりも長い主走査方向の長さを持つＡ３サイズ（４２０ｍｍ）又はＢ４サイズ（３６４ｍｍ）に拡大する場合に、Ａ３サイズ又はＢ４サイズの記録紙が用意されているにもかかわらず、変倍能力の限界により２９７ｍｍを超えた部分の画像データは切り捨てられてしまう。従って、従来の画像形成装置においては、Ｂ５サイズ縦からＢ４サイズ横やＡ４サイズ縦からＡ３サイズ横への拡大は不可能とされ、このような拡大を行う場合には、Ｂ５サイズ、Ａ４サイズの原稿を横にセットして画像形成を行う必要があった。
【０００７】
ＡＭＳを用いた画像形成における前記のような不都合を解消するためには、変倍処理等の画像処理回路の処理可能な主走査方向の長さを大きくする必要がある。しかしながら、主走査方向の長さを大きくすることはラインバッファ等の回路規模の増大を引き起こし、コストの上昇を招いて好ましくない。
【０００８】
画像には縦長のポートレート画像と横長のランドスケープ画像がある。これらの画像が記録された文書は頁揃え、綴じ処理、製本、ファイリング等の取り扱において異なった取り扱いが行われる。そして、ポートレート原稿から画像形成を行う場合とランドスケープ原稿から画像形成を行う場合とでは、片面原稿から記録紙の片面に画像を画像形成するモードにおいては、ポートレート原稿とランドスケープ原稿の区別をしないで画像形成を行っても問題はないが、原稿又は記録紙の少なくともいずれかが両面画像の場合の画像形成においては、ポートレート画像とランドスケープ画像の区別をして画像形成を行い、画像が形成された記録紙の処理をしないと頁順及び画像の向きが統一されていない画像形成物が作成される。使用者の操作をわかりやすくするために原稿の天地方向を常に一定の方向にして原稿を画像形成装置にセットすることにするのが望ましく、原稿を縦長にも横長にもセットできる画像形成装置では、原稿の天地が一定となるように縦長又は横長にセットされた原稿を、縦長にセットしたときにはポートレート、横長にセットしたときにはランドスケープというように原稿の縦横比で、ポートレートとランドスケープを区別して画像形成が行われる。これに対して、原稿を横長にしかセットできない画像形成装置においては、ポートレートとランドスケープを設定するボタンによって、ポートレートとランドスケープを区別しそれぞれのモードに適した向き及び頁順の画像を形成する対策が可能である。
【０００９】
ところが、前記のように原稿サイズと変倍率によって、Ｂ４サイズ、Ａ３サイズのように大サイズに拡大する際には、画像形成装置が有する変倍手段の能力に起因する限界のために横長でしか拡大できないという理由から、原稿を縦長にセットすることはできるのに、ポートレート原稿からの拡大では、ある場合にはポートレート原稿を横長にセットし、且つポートレート画像が正しい頁順で記録紙に形成されるように画像形成装置を設定する特殊な操作をしなければならず、使用者を混乱させていた。
【００１０】
本発明は従来技術における前記のような問題を解決することを目的とする。
【００１１】
請求項１、請求項３、請求項４、請求項６、請求項８及び請求項１１の発明では、変倍回路の規模を大きくすることなく大サイズに拡大された画像を形成することを可能にする。しかも、画像データの分割により大サイズの変倍を行うとにより拡大処理のために分割した画像の境界が目立つことがない高画質の画像を得る。
【００１２】
請求項２、請求項３、請求項５、請求項６、請求項９及び請求項１２の発明では、変倍回路の回路規模を大きくすることなく大サイズに拡大された画像を形成することを可能にする。しかも、変倍処理のためのページメモリを使用しないで、低コストで大サイズの変倍機能を実現する。
【００１３】
請求項７及び請求項１０に記載の発明では、変倍回路の規模を大きくすることなく大サイズに拡大された画像を形成することを可能にする。
【００１４】
請求項１３の発明では、ポートレート原稿及びランドスケープ原稿のいずれからも最大サイズを含む全ての画像形成装置に収容される記録紙に正しい頁順及び画像の向きで画像を形成することができる画像形成装置を提供する。
【００１５】
【課題を解決するための手段】
前記の本発明の目的は、下記の発明により達成される。
【００１６】
（１）主走査及び副走査を行って原稿の画像を読み取る読取手段、
該読取手段の読取で得られる１頁分画像データを記憶する分割用頁メモリ、
該分割用頁メモリから分割して画像データを読み出す分割手段、
前記分割用頁メモリから読み出された画像データに対して変倍処理を行う変倍手段、
該変倍手段から出力される１頁分の画像データを記憶する回転用頁メモリ、
該回転用頁メモリに画像データを書き込み、前記頁メモリから画像データを読み出す際に、画像を９０度回転させる画像回転処理を行う画像回転手段及び
前記変倍手段による変倍後の画像データが前記変倍手段が扱える大きさを超えているか否かを判断し、超えている場合には前記読取手段の読取で得られた画像データを前記分割用頁メモリに記憶させ、前記分割手段により画像データを主走査方向に分割して前記変倍手段に入力して、分割された画像データ毎に変倍処理を行わせ、前記変倍手段による変倍処理後の分割された画像データを前記回転用頁メモリに合成して記憶させ、超えていない場合には、前記読取手段の読取で得られた画像データを分割しないで前記変倍手段に入力し、変倍後の画像データを前記回転用頁メモリに記憶させる制御手段、
を有することを特徴とする原稿読取装置。
【００１７】
（２）主走査及び副走査を行って原稿の画像を読み取る読取手段、
該読取手段の読取で得られた画像データに対して変倍処理を行う変倍手段、
該変倍手段から出力される１頁分の画像データを記憶する回転用頁メモリ、
該回転用頁メモリに画像データを書き込み、前記回転用頁メモリから画像データを読み出す際に、画像を９０度回転させる画像回転処理を行う画像回転手段及び
前記変倍手段による変倍後の画像データが前記変倍手段が扱える大きさを超えているか否かを判断し、超えている場合には前記読取手段による読取を主走査方向に分割して複数回行って、分割された画像データを取得し、分割された画像データを前記変倍手段により変倍処理して、前記頁メモリに記憶させることにより、前記複数回の読取により得られた画像データを前記頁メモリ上で合成し、超えていない場合には前記読取手段による１回の読取で原稿の画像の読取を行い、該１回の読取で得られた画像データを前記変倍手段による変倍処理後に前記頁メモリに記憶させる制御手段、
を有することを特徴とする原稿読取装置。
【００１８】
（３）前記読取手段が副走査方向に変倍された画像データを出力することを特徴とする前記（１）又は（２）項に記載の原稿読取装置。
【００１９】
（４）主走査及び副走査を行って原稿の画像を読み取る読取手段、
該読取手段の読取で得られる１頁分画像データを記憶する分割用頁メモリ、
該分割用頁メモリから分割して画像データを読み出す分割手段、
前記分割用頁メモリから読み出された画像データに対して変倍処理を行う変倍手段、
該変倍手段から出力される１頁分の画像データを記憶する回転用頁メモリ、
該回転用頁メモリに画像データを書き込み、前記頁メモリから画像データを読み出す際に、画像を９０度回転させる画像回転処理を行う画像回転手段及び
前記変倍手段による変倍後の画像データが前記変倍手段が扱える大きさを超えているか否かを判断し、超えている場合には前記読取手段の読取で得られた画像データを前記分割用頁メモリに記憶させ、前記分割手段により画像データを主走査方向に分割して前記変倍手段に入力して、分割された画像データ毎に変倍処理を行わせ、前記変倍手段による変倍処理後の分割された画像データを前記回転用頁メモリに合成して記憶させ、超えていない場合には、前記読取手段の読取で得られた画像データを分割しないで前記変倍手段に入力し、変倍後の画像データを前記回転用頁メモリに記憶させる制御手段及び
前記回転用頁メモリに記憶された画像データに基づいて画像を形成する画像形成手段を、
有することを特徴とする画像形成装置。
【００２０】
（５）主走査及び副走査を行って原稿の画像を読み取る読取手段、
該読取手段の読取で得られた画像データに対して変倍処理を行う変倍手段、
該変倍手段から出力される１頁分の画像データを記憶する回転用頁メモリ、
該回転用頁メモリに画像データを書き込み、前記回転用頁メモリから画像データを読み出す際に、画像を９０度回転させる画像回転処理を行う画像回転手段及び
前記変倍手段による変倍後の画像データが前記変倍手段が扱える大きさを超えているか否かを判断し、超えている場合には前記読取手段による読取を主走査方向に分割して複数回行って、分割された画像データを取得し、分割された画像データを前記変倍手段により変倍処理して、前記頁メモリに記憶させることにより、前記複数回の読取により得られた画像データを前記頁メモリ上で合成し、超えていない場合には前記読取手段による１回の読取で原稿の画像の読取を行い、該１回の読取で得られた画像データを前記変倍手段による変倍処理後に前記頁メモリに記憶させる制御手段及び
前記回転用頁メモリに記憶された画像データに基づいて画像を形成する画像形成手段、
を有することを特徴とする画像形成装置。
【００２１】
（６）前記読取手段が副走査方向に変倍された画像データを出力することを特徴とする前記（４）又は（５）項に記載の原稿読取装置。
【００２２】
（７）原稿の１頁の画像を主走査方向と副走査方向に走査して、主走査方向に分割され、副走査方向に拡大された画像データを取得する読取段階、
該読取段階で取得された分割された画像データをそれぞれ主走査方向に拡大する変倍段階、
該記変倍段階により変倍された画像データを回転用頁メモリに合成して記憶させる合成段階及び
合成された画像データに対して、画像を９０度回転させる画像回転処理を行う画像回転段階、
を有することを特徴とする原稿読取方法。
【００２３】
（８）前記読取段階において、原稿の１頁を１回の走査で読み取ることにより画像データを取得し、取得された画像データを主走査方向に分割することが行われることを特徴とする前記（７）項に記載の原稿読取方法。
【００２４】
（９）前記読取段階において、原稿の１頁を主走査方向に複数回に分けて行う走査により複数に分割された画像データを取得することを特徴とする前記（７）項に記載の原稿読取方法。
【００２５】
（１０）原稿の１頁の画像を主走査方向と副走査方向に走査して、主走査方向に分割され、副走査方向に拡大された画像データを取得する読取段階、
該読取段階で取得された分割された画像データをそれぞれ主走査方向に拡大する変倍段階、
該記変倍段階により変倍された画像データを頁メモリに合成して記憶させる合成段階、
合成された画像データに対して、画像を９０度回転させる画像回転処理を行う画像回転段階及び
画像回転処理された画像データに基づいて画像を形成する画像形成段階、
を有することを特徴とする画像形成方法。
【００２６】
（１１）前記読取段階において、原稿の１頁を１回の走査で読み取ることにより画像データを取得し、取得された画像データを主走査方向に分割することが行われることを特徴とする前記（１０）項に記載の画像形成方法。
【００２７】
（１２）前記読取段階において、原稿の１頁を主走査方向に複数回に分けて行う走査により複数に分割された画像データを取得することを特徴とする前記（１０）項に記載の画像形成方法。
【００２９】
【発明の実施の形態】
（１）実施の形態
図１は本発明の実施の形態１に係る画像形成装置の構成を示すブロック図である。
【００３０】
図において、太い矢印は画像データの伝送を表し、細い矢印は制御信号の伝送を表す。
【００３１】
図において、２は原稿を主走査方向と副走査方向に走査して、画像データを出力する読取手段である。読取手段２は、画像を変倍する場合には、副走査方向に変倍された画像データを出力する。３は読取手段から出力された画像データに対して、フィルタ処理、濃度調整処理等の各種の画像処理を行う画像処理手段、４は画像データを記憶する画像メモリである。５は１ページ分の画像データを２分割する分割手段であり、１頁分の画像データを記憶する容量を持つ分割用頁メモリ５ａから画像データを読み出す際に２分割を行う。５は主走査方向に変倍処理を行う変倍手段であり、ラインメモリを用いた周知の補間、抽出法により変倍処理を行う。７は１頁分の画像データを記憶する容量を有する回転用頁メモリ７ａに画像データを書込及び読出を行う機能を有し、書込又は読出の際に後に説明するように画像を９０度回転させる画像回転処理を行う画像回転手段である。８はレーザ書込手段或いはＬＥＤ書込手段により画像書込を行う画像出力手段である。１０は原稿サイズ及び縦長か横長かという原稿の向きを検知する原稿検知手段、１１は記録紙サイズ及び縦長か横長かという記録紙の向きを検知する記録紙検知手段、１２はＡＭＳ機能の設定、ポートレート原稿とランドスケープ原稿の設定或いは使用記録紙の設定等の各種の画像形成条件の設定を受け付ける設定手段である。
【００３２】
本実施の形態は図示のような構成を有するが、読取手段２により画像読取で得られた画像データに基づいて、画像を９０度回転する処理を行うことなく、原稿の画像と同じ向きの画像を形成する場合と原稿の画像を９０度回転して画像を形成する場合とがある。回転を伴わない画像形成は通常の画像形成であるが、縦長の原稿の画像を横長の記録紙に形成する場合又は横長の原稿の画像を縦長の記録紙に形成する場合に、９０度回転を伴った画像形成が行われる。
【００３３】
通常の画像形成においては、読取手段２が有するラインＣＣＤ（図示せず）により主走査方向に原稿を走査し、原稿を副走査方向に搬送するか又は読取光学系（図示せず）を副走査方向に移動させることにより副走査方向に走査して原稿の読取が行われる。読取により得られた画像データは画像処理手段３により、フィルタ処理、濃度調整処理等の画像処理が施された後に、画像メモリ４に記憶される。画像形成時に、画像メモリ４から画像データが読み出され。画像出力手段８に出力され、画像出力手段８において画像が形成される。
【００３４】
画像の９０度回転を伴った画像形成においては、画像メモリ４から読み出された画像データは回転用頁メモリ７ａに記憶され、回転用頁メモリ７ａに画像データを書き込む際又は回転用頁メモリ７ａから画像データを読み出す際に画像回転手段７により画像を９０度回転する画像回転処理を行った後に画像出力手段８に出力し、画像出力手段８において画像形成が行われる。なお、前記の通常の画像形成工程及び画像の９０度回転を伴った画像形成工程において、画像メモリ４から分割用メモリ５ａを経て画像回転手段７に画像データを記憶させ画像出力手段８に出力するようにしてもよい。
【００３５】
画像回転処理を伴った画像形成には前記の画像形成工程の他に、後に説明するように、分割用頁メモリ５ａから分割手段５により１頁の画像データを２分割して読み出し、２分割された画像データのそれぞれに対して変倍手段６により変倍処理を行った後に画像を９０度回転する画像回転処理を画像回転手段７により行う画像形成がある。
【００３６】
制御手段１は前記の各処理部部との間で制御信号の授受を行い、これらを制御する。
【００３７】
設定手段１２において、ＡＭＳが設定されている場合には、原稿検知手段１０により検知された原稿サイズ及び原稿の向きの情報と記録紙検知手段１１により検知された又は設定手段１２を用いて設定された記録紙のサイズと向きの情報に基づいて、記録紙に整合した画像が形成されるように、制御手段１が倍率の選択及び画像回転の要否の決定を行う。例えば、Ａ４Ｒ（横長のＡ４サイズ）の原稿が原稿検知手段１０により検知され、設定手段１２において、Ａ４Ｒの記録紙に画像を形成する設定が行われた場合には、制御手段１は変倍手段６に対して等倍の制御信号を出力して、画像回転処理を行うことなく、画像形成を行う制御を行うが、Ａ４（縦長のＡ４サイズ）の原稿が原稿検知手段１０により検知され、設定手段１２においてＡ３サイズ（横長のＡ３サイズ）に画像を形成する設定が行われている場合には、制御手段１は変倍手段６に対して、１．４１倍の拡大を行う制御信号を出力し、画像回転手段８に対して画像回転を命令する信号を出力して、前記Ａ３サイズの記録紙に拡大された画像を形成する。
【００３８】
図２のフローチャートにより、制御手段１の制御を説明する。図２において、読取から画像形成までの工程の脇にＤ１〜Ｄ６で示すパターンは１頁の画像データを模式的に示す。以下の説明は、Ａ３サイズを記録紙の最大サイズとし、記録紙の搬送方向、即ち記録時の副走査方向がＡ３サイズの記録紙の長辺となるようにＡ３サイズの記録紙が収納され搬送される画像形成装置における制御について行われる。
【００３９】
ステップ１において原稿の読取が行われる。ステップＦ１の読取においては、副走査方向の変倍が行われる。即ち、Ｄ１で示す縦長のＡ４サイズ原稿を読み取って、副走査方向に拡大された画像データＤ２が読取手段２から出力される。画像データＤ２は（０、０）〜（２９７、２９７）の大きさを有する。自動原稿搬送装置における原稿の搬送速度の変更、或いは光学走査手段の走査速度の変更により副走査方向に変倍された画像データＤ２が得られる。ステップＦ２においては、変倍後の画像の主走査方向の長さが最大サイズであるＡ３サイズの短辺の長さである２９７ｍｍよりも若干大きく取ってある３００ｍｍを超えるか否かが判断される。本実施の形態においては、変倍手段６が変倍処理時に補間等の演算を行うためのラインメモリが３００ｍｍの幅の原稿に合わせた容量となっており、３００ｍｍが変倍手段６の処理限界である。
【００４０】
例えば、Ａ４Ｒサイズ（横長のＡ４サイズ）からＡ３サイズに拡大する場合のように、拡大後の主走査方向の長さが３００ｍｍ以下である場合にはステップＦ５に進み、主走査方向の拡大が行われる。
【００４１】
ステップＦ２において、変倍後の主走査方向の長さが３００ｍｍを超えることが演算の結果判明した場合には、画像データＤ２を分割用頁メモリ５ａに記憶する（Ｆ３）。次に、分割用頁メモリ５ａから、まず、（０，０）〜（２９７／２，２９７）の画像データＤ３を読み出し（Ｆ４）、主走査方向に１．４１倍に拡大して、（０，０）〜（２１０，２９７）の大きさの画像データＤ４を得（Ｆ５）、（０，０）〜（２１０，２９７）の記憶領域を有する頁メモリ６の左半分の（０，０）〜（２１０，２９７）の領域（図２では下半分）に記憶させる（Ｆ６）。
【００４２】
この変倍、記憶処理は分割した残りの画像データについても行われる。即ち分割用頁メモリ５ａから（２９７／２，０）〜（２９７，２９７）の領域の画像データＤ３を読み出して、主走査方向に１．４１倍拡大して変倍して（２１０，２９７）〜（４２０，２９７）の大きさの画像データＤ４を得、頁メモリ６の右半分（図２では上半分）に記憶させる。ステップＦ６におけるこのような記憶により、回転用頁メモリ７には（０，０）〜（４２０，２９７）の大きさの画像データＤ５が合成され記憶される。ライン毎に行われる変倍、記憶処理が完了したら（Ｆ７）、画像回転処理が行われる（Ｆ８）。
【００４３】
ステップＦ８の画像回転処理において、回転用頁メモリ７ａのアドレス（０，２９７）からアドレス（０，０）に向かう方向に主走査読出を、アドレス（０，２９７）からアドレス（４２０，２９７）に向かう方向に副走査読出を行って、画像出力手段８に出力すことによって、９０度回転した画像データに基づいた画像を形成する画像出力がステップＦ９において行われ、横長のＡ３サイズの記録紙に拡大された画像Ｄ６が形成される。
【００４４】
原稿検知手段１０により、原稿のサイズ及び原稿が縦長か横長かが検知され、検知結果から原稿がポートレート原稿かランドスケープ原稿かが判定される。
【００４５】
図５におけるＰはポートレート原稿を示し、表面画像”１”と裏面画像”２”を有する。なお、裏面画像”２”は表面から記録紙を透かして見た像を示している。Ｒはランドスケープ原稿を示す。図５から明らかなように、ポートレート原稿Ｐとランドスケープ原稿Ｒとでは表面画像と裏面画像の向きの関係が異なっており、ポートレート原稿Ｐ、ランドスケープ原稿Ｒに適合した画像処理が行われて画像が形成されるが、本実施の形態においては、Ｂ４サイズ及びＡ３サイズの記録紙に画像形成を行う場合には、記録紙としては横長のものが使用されるが、画像処理は図５のＰで示すポートレート原稿に対する処理が行われて画像が形成されるとともに、ポートレート画像に対応した頁揃えが行われる。
【００４６】
原稿検知手段１０から得られた原稿サイズ情報と原稿の縦横の向きの情報に基づいてこのような処理の仕分けが行われる。
【００４７】
なお、設定手段１２にポートレート原稿の画像形成モードとランドスケープ原稿の画像形成モードを設定する設定釦（図示せず）を設け、該設定釦の操作により、ポートレート原稿とランドスケープ原稿に対する処理の仕分けを行うこともできる。いずれにしても、原稿サイズ、変倍率に関係なく、画像形成装置において使用することができる最大サイズの記録紙をも含む全ての記録紙に対して例外なく、共通した操作で拡大等の変倍操作を行って画像形成を行うことが可能である。
【００４８】
（２）実施の形態２
図３は本発明の実施の形態２に係る画像形成装置の構成を示すブロック図である。
【００４９】
画像データの処理系として図１に示す実施の形態と異なるところは分割用頁メモリ５ａがない点であるが、図４のフローチャートに示すように、制御手段１が行う制御は実施の形態１と大きく相違する。
【００５０】
本実施の形態においては、最初に図１におけるステップＦ２と同様なステップＦ１０の判断が行われる。ステップＦ１０における判断で、演算の結果、変倍後の画像の主走査方向の長さが３００ｍｍ以下であることが判明した場合には、読取手段２により、１頁の原稿を１回の走査で読み取る走査読取が行われる（Ｆ１１）。なお、この読取によって、実施の形態１におけると同様に副走査方向に変倍した画像データが取得される。ステップＦ１１で取得された画像データに対して主走査方向の変倍処理（Ｆ１２）、回転用頁メモリ７ａに記憶（Ｆ１３）、画像回転（Ｆ２３）及び画像出力（Ｆ２４）が行われて終了する。
【００５１】
ステップＦ１０において、変倍後の画像の主走査方向の長さが３００ｍｍを超えることが判明した場合には、読取と変倍が主走査方向に２回に分けて行われる。第１回の読取において原稿Ｄ１０の左半分（図４では下半分）が読み取られる（Ｆ１５）。得られた画像データＤ１１に対して、主走査方向の変倍を行って画像データＤ１２が得られ（Ｆ１６）、回転用頁メモリ７ａの（０，０）〜（２１０，０）の左半分の領域（図４では下半分）に画像データが記憶される（Ｆ１７）。次に、第２回の読取が行われ、原稿の右半分（図４では上半分）が読み取られる（Ｆ１９）。得られた画像データＤ１３を主走査方向に変倍して画像データＤ１４が得られ（Ｆ２０）、回転用頁メモリ７ａの（２１０，０）〜（４２０，２９７）の領域に記憶され（Ｆ２１）、回転用頁メモリ７ａには、（０，０）〜（４２０，２９７）の大きさの画像データＤ１５が記憶される。変倍、記憶処理が完了したら（Ｆ２２）、画像回転（Ｆ２３）及び画像出力（Ｆ２４）が行われて終了する。
【００５２】
前記の二つの実施の形態においては、回転用頁メモリ７ａから画像データを読み出す際に画像の回転を行っているが、画像データを回転用頁メモリ６に記憶させる際に９０度回転させることも可能である。
【００５３】
【発明の効果】
請求項１、請求項３、請求項４、請求項６、請求項８及び請求項１１の発明では、変倍回路の規模を大きくすることなく大サイズに拡大された画像を形成することが可能になった。しかも、画像データの分割により大サイズの変倍を行うとにより拡大処理のために分割した画像の境界が目立つこがない高画質の画像が得られる。
【００５４】
請求項２、請求項３、請求項５、請求項６、請求項９及び請求項１２の発明では、変倍回路の回路規模を大きくすることなく大サイズに拡大された画像を形成することが可能になった。しかも、変倍処理のためのページメモリを使用しないで、低コストで大サイズの変倍機能が実現された。
【００５５】
請求項７及び請求項１０に記載の発明では、変倍回路の規模を大きくすることなく大サイズに拡大された画像を形成することが可能になった。
【図面の簡単な説明】
【図１】本発明の実施の形態１に係る画像形成装置の構成を示すブロック図である。
【図２】図１に示す実施の形態１における制御のフローチャートである。
【図３】本発明の実施の形態２に係る画像形成装置の構成を示すブロック図である。
【図４】図３に示す実施の形態２における制御のフローチャートである。
【図５】ポートレート原稿とランドスケープ原稿を示す図である。
【符号の説明】
１  制御手段
２  読取手段
３  画像処理手段
４  画像メモリ
５  分割手段
５ａ  分割用頁メモリ
６  変倍手段
７  画像回転手段
７ａ  回転用頁メモリ
８  画像出力手段
【図１】
0003812222.tif 000002
【図２】
0003812222.tif 000003
【図３】
0003812222.tif 000004
【図４】
0003812222.tif 000005
【図５】
0003812222.tif 000006